(57)【要約】【課題】解錠状態で摘み部が縦長となり、施錠状態では摘み部が横長となる姿勢でのみサムターン軸がダルマ軸に対して嵌入する錠装置を提供する。【解決手段】扉に取り付けられる錠箱２１に、回動自在に設けられ扉表裏方向となる軸線方向に形成された嵌合穴５７に、少なくとも扉屋内側からサムターン軸６１が挿入され、サムターン軸６１の回動によって、錠機構２３を介して錠箱２１からデッドボルト４３を進退させるダルマ軸３１を備えた錠装置１００であって、ダルマ軸３１が、９０度の回転角度範囲の一方でデッドボルト４３を進出させ、９０度の回転角度範囲の他方でデッドボルト４３を後退させる回転角度範囲で回動可能となり、ダルマ軸３１に対し任意の一つの角度及びこの一つの角度＋１８０度の角度でサムターン軸６１の嵌合を可能とする嵌合角度規制手段６３が、ダルマ軸３１の嵌合穴５７とサムターン軸６１とに亘って設けられている。【選択図】      図１
2007198054.tif 000002
【特許請求の範囲】
【請求項１】
扉に取り付けられる錠箱に、回動自在に設けられ扉表裏方向となる軸線方向に形成された嵌合穴に、少なくとも扉屋内側からサムターン軸が挿入され、該サムターン軸の回動によって、錠機構を介して前記錠箱からデッドボルトを進退させるダルマ軸を備えた錠装置であって、
前記ダルマ軸が、９０度の回転角度範囲の一方で前記デッドボルトを進出させ、前記９０度の回転角度範囲の他方で前記デッドボルトを後退させる回転角度範囲で回動可能となり、
前記ダルマ軸に対し任意の一つの角度及び該一つの角度＋１８０度の角度で前記サムターン軸の嵌合を可能とする嵌合角度規制手段が、前記ダルマ軸の嵌合穴と前記サムターン軸とに亘って設けられたことを特徴とする錠装置。
【請求項２】
前記サムターン軸の一端に、軸線直交方向に長い摘み部が設けられ、
前記嵌合角度規制手段が、前記デッドボルトを突出させた状態の前記ダルマ軸の嵌合穴に、前記摘み部が水平方向を長手方向とする向きで、前記サムターン軸を嵌入可能にすることを特徴とする請求項１記載の錠装置。
【請求項３】
前記ダルマ軸の嵌合穴に、シリンダー錠のテールピースを９０度の回転角度範囲で相対回転可能とする一対の遊び部が、軸線対称に形成されたことを特徴とする請求項１又は２記載の錠装置。
【請求項４】
前記サムターン軸が、直交する二対の突出片を有する断面略十字形状で形成されるとともに、一方の一対の突出片が半径方向外側に長く形成され、
前記嵌合穴における前記一対の遊び部のそれぞれの一端側に、該一方の一対の突出片が嵌入する一対の切欠部が軸線対称に形成されたことを特徴とする請求項３記載の錠装置。
【発明の詳細な説明】
【技術分野】
【０００１】
本発明は、サムターン軸が挿入され、このサムターン軸の回動によって錠機構を介して錠箱からデッドボルトを進退させるダルマ軸を備えた錠装置に関する。
【背景技術】
【０００２】
扉に設けられる錠装置は、錠箱から進退させたデッドボルトを扉枠に係合・係合解除させて、扉を施解錠する施解錠機構を内蔵している。錠装置は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
ところで、上述した錠装置は、錠箱に図５に示す所謂ダルマ軸１が回動自在に設けられている。このダルマ軸１には、扉表裏方向となる軸線Ｇ方向で、嵌合穴３が形成されている。この嵌合穴３には、少なくとも扉屋内側から図６に示すサムターン５のサムターン軸７が嵌入される。ダルマ軸１は、嵌入されたサムターン軸７の回動によって、錠箱内に設けられた錠機構を介して錠箱からデッドボルトを進退させる入力部材となる。
【発明の開示】
【発明が解決しようとする課題】
【０００４】
錠箱に回動自在に設けられるダルマ軸１は、上記の嵌合穴３にサムターン軸７が嵌入される。この嵌合穴３とサムターン軸７とは、相対回転を規制するために、例えば嵌合穴３が、十字穴の軸線Ｇを挟む一対の扇部を遊び部３ａとして切除した形状、所謂ダルマ形状で形成され、サムターン軸７が図７に示すように、半径方向外側に等しい長さｄで突出する二対の直交突出片９，９，１１，１１を有する断面略十字形状で形成される。したがって、サムターン軸７は、ダルマ軸１に対し、９０度の回転角度毎で相対回転不能に嵌入が可能となっていた。
このことから、例えば工場出荷時、現場取付時、或いはメンテナンス時に、扉に取り付けられた錠箱のダルマ軸１に、後からサムターン軸７を嵌入する場合、ダルマ軸１の回転角度位置、すなわち、デッドボルトの進退状態にかかわらず、サムターン軸７が嵌入されてしまう虞があった。例えば、通常、解錠状態では縦長となるサムターン摘み部１３（図６参照）が、解錠状態であるにもかかわらす横長となる姿勢で誤取付される問題を包含していた。
【０００５】
本発明は上記状況に鑑みてなされたもので、解錠状態で摘み部が縦長となり、施錠状態では摘み部が横長となる姿勢でのみサムターン軸がダルマ軸に対して嵌入する錠装置を提供し、もって、サムターン軸の誤取付防止を図ることを目的とする。
【課題を解決するための手段】
【０００６】
次に、上記の課題を解決するための手段を、実施の形態に対応する図面を参照して説明する。
本発明の請求項１記載の錠装置は、扉に取り付けられる錠箱２１に、回動自在に設けられ扉表裏方向となる軸線方向に形成された嵌合穴５７に、少なくとも扉屋内側からサムターン軸６１が挿入され、該サムターン軸６１の回動によって、錠機構２３を介して前記錠箱２１からデッドボルト４３を進退させるダルマ軸３１を備えた錠装置１００であって、
前記ダルマ軸３１が、９０度の回転角度範囲の一方で前記デッドボルト４３を進出させ、前記９０度の回転角度範囲の他方で前記デッドボルト４３を後退させる回転角度範囲で回動可能となり、
前記ダルマ軸３１に対し任意の一つの角度及び該一つの角度＋１８０度の角度で前記サムターン軸６１の嵌合を可能とする嵌合角度規制手段６３が、前記ダルマ軸３１の嵌合穴５７と前記サムターン軸６１とに亘って設けられたことを特徴とする。
【０００７】
この錠装置では、嵌合角度規制手段６３によって、ダルマ軸３１の回転角度、すなわち、デッドボルト４３の進出状態、又は後退状態に応じて、ダルマ軸３１に対するサムターン軸６１の嵌合角度が特定される。したがって、従来の錠装置のように、デッドボルト４３の進退状態にかかわらず、サムターン軸６１がダルマ軸３１に嵌合してしまうことが防止され、サムターン軸６１がデッドボルト４３の進退状態と一致した姿勢で取り付けられるようになる。
【０００８】
請求項２記載の錠装置は、前記サムターン軸６１の一端に、軸線直交方向に長い摘み部６５が設けられ、
前記嵌合角度規制手段６３が、前記デッドボルト４３を突出させた状態の前記ダルマ軸３１の嵌合穴５７に、前記摘み部６５が水平方向を長手方向とする向きで、前記サムターン軸６１を嵌入可能にすることを特徴とする。
【０００９】
この錠装置では、通常のデッドボルト進退状態とサムターン摘み部６５の姿勢との関係、すなわち、解錠時には摘み部６５を縦長、施錠時には横長となる姿勢で、サムターン軸６１がダルマ軸３１に嵌入するようになる。
【００１０】
請求項３記載の錠装置は、前記ダルマ軸６１の嵌合穴５７に、シリンダー錠のテールピースを９０度の回転角度範囲で相対回転可能とする一対の遊び部６７が、軸線対称に形成されたことを特徴とする。
【００１１】
この錠装置では、ダルマ軸３１が、サムターン軸６１を嵌合させるとともに、シリンダー錠テールピースを嵌合させる両者の共用嵌合部材として使用可能となる。
【００１２】
請求項４記載の錠装置は、前記サムターン軸６１が、直交する二対の突出片６９，６９，７１，７１を有する断面略十字形状で形成されるとともに、一方の一対の突出片６９，６９が半径方向外側に長く形成され、
前記嵌合穴５７における前記一対の遊び部６７，６７のそれぞれの一端側に、該一方の一対の突出片６９，６９が嵌入する一対の切欠部７３，７３が軸線対称に形成されたことを特徴とする。
【００１３】
この錠装置では、サムターン軸６１とシリンダー錠テールピースとの共用嵌合部材となったダルマ軸３１に対し、デッドボルト４３の進退に対応させた摘み部姿勢で、サムターン軸６１が嵌合可能となる。
【発明の効果】
【００１４】
本発明に係る請求項１記載の錠装置によれば、ダルマ軸に対し一つの角度及びこの一つの角度＋１８０度の角度でサムターン軸の嵌合を可能とする嵌合角度規制手段を、ダルマ軸の嵌合穴とサムターン軸とに亘って設けたので、ダルマ軸の回転角度、すなわち、デッドボルトの進出状態、又は後退状態に応じてダルマ軸に対するサムターン軸の嵌合角度を特定することができる。したがって、デッドボルトの進退状態にかかわらず、サムターン軸がダルマ軸に嵌合してしまうことが防止でき、サムターン軸をデッドボルトの進退状態と一致させた姿勢で取り付けできる。この結果、サムターン軸のダルマ軸に対する誤取り付けをなくすことができる。
【００１５】
請求項２記載の錠装置によれば、デッドボルトを突出させた状態のダルマ軸の嵌合穴に、摘み部が水平方向を長手方向とする向きで、サムターン軸を嵌入可能にするので、通常のデッドボルト進退状態とサムターン摘み部の姿勢との関係、すなわち、解錠時には摘み部を縦長、施錠時には横長となる姿勢で、サムターン軸をダルマ軸に嵌入させることができる。
【００１６】
請求項３記載の錠装置によれば、ダルマ軸の嵌合穴に、シリンダー錠のテールピースを９０度の回転角度範囲で相対回転可能とする一対の遊び部を、軸線対称に形成したので、ダルマ軸を、サムターン軸を嵌合させるとともに、シリンダー錠テールピースを嵌合させる両者の共用嵌合部材として用いることができる。
【００１７】
請求項４記載の錠装置によれば、嵌合穴における一対の遊び部のそれぞれの一端側に、一方の一対の突出片が嵌入する一対の切欠部を形成したので、サムターン軸とシリンダー錠テールピースとの共用嵌合部材となったダルマ軸に対し、デッドボルトの進退に対応させた摘み部姿勢で、サムターン軸を嵌合させることができる。
【発明を実施するための最良の形態】
【００１８】
以下、本発明に係る錠装置の好適な実施の形態を図面を参照して詳細に説明する。
図１は本発明に係る錠装置の側面図、図２は図１に示したダルマ軸の斜視図、図３は図１に示した錠装置に取り付けられるサムターンの斜視図、図４は図３に示したサムターン軸のみの斜視図である。
錠装置１００は、錠箱２１に錠機構２３を収容している。不図示の扉内に収容可能となった扁平四角形錠の箱部２１ａと、この箱部２１ａの一側面側（図１の紙面表面側）の開口に、ビスにより固定される図示しない蓋体とからなる。錠箱２１の前端面には取付板２５が設けられ、取付板２５は不図示の扉木口に固定ビス２７によって固定される。取付板２５の表面にはさらに木口に表出するフロントパネル２９が化粧ビス３０によって固定される。これにより、錠箱２１は、扉木口でフロントパネル２９によって覆われ、フロントパネル２９に形成されたデッドボルト出入口２９ａからデッドボルト４３を進退させることになる。
【００１９】
ダルマ軸３１の一端側には扉の室外面側（図１の紙面背面側）に設けられる例えばシリンダー錠の連結部（所謂テールピース）が係合される。また、ダルマ軸３１の他端側には扉の室内面側（図１の紙面表面側）に設けられる後述のサムターンが嵌入される。ダルマ軸３１には半径方向外側に突出する押杆３３が設けられ、押杆３３の先端は支持・締結部材である図示しない支軸に回動自在に支持された揺動杆３７の先端に回動自在に連結されている。したがって、ダルマ軸３１は、例えば９０°の回転角度範囲に回動が規制され、かつ揺動杆３７に外挿された揺動バネ３９によって、９０°の回転角度範囲のいずれか一方側に寄せられるよう回動付勢される。
【００２０】
錠箱２１内には支持・締結部材であるガイド軸４１が立設され、ガイド軸４１はデッドボルト４３に形成された長穴４３ａをガイドする。デッドボルト４３は、上記の押杆３３に、後部切欠が押圧されることで、錠箱２１外へと突出される。突出されたデッドボルト４３は、支持・締結部材であるストッパー軸４５によって基端を揺動自在に支持したストッパー４７が、ストッパーバネ４９の付勢力で回動係止されることで、後退が規制されるようになっている。
【００２１】
ダルマ軸３１は、デッドボルト４３が突出された状態で、図１の反時計回りに回転されることにより、押杆３３を介してデッドボルト４３の後部切欠を押圧して、デッドボルト４３を後退（図１の右側へ移動）させる。この際、同時に解除ピン５１がストッパー４７を押下し、ストッパー４７とデッドボルト４３との係合状態を解除する。
【００２２】
錠箱２１内には、ダルマ軸３１の一部外周に沿う隔壁板５３が立設されている。また、錠箱２１の底面には蓋体を固定するための複数のネジ穴５５が形成されている。ネジ穴５５には蓋体を貫通する支持・締結部材である不図示の固定ネジが螺合される。
【００２３】
図２に示すように、ダルマ軸３１には、扉表裏方向となる軸線Ｇ方向に嵌合穴５７が形成される。嵌合穴５７には扉屋内側から図３に示すサムターン５９のサムターン軸６１が挿入される。ダルマ軸３１は、サムターン軸６１の回動によって、錠機構２３を介して錠箱２１からデッドボルト４３を進退させる。本実施の形態では、ダルマ軸３１が、９０度の回転角度範囲の一方でデッドボルト４３を進出させ、９０度の回転角度範囲の他方でデッドボルト４３を後退させる回転角度範囲で回動可能となっている。
【００２４】
ここで、ダルマ軸３１の嵌合穴５７とサムターン軸６１とには、両者に亘って嵌合角度規制手段６３が設けられている。この嵌合角度規制手段６３は、ダルマ軸３１に対し、任意の一つの角度及びこの一つの角度＋１８０度の角度で、サムターン軸６１の嵌合を可能とする。本実施の形態において、任意の一つの角度とは、例えば０度を言う。したがって、一つの角度＋１８０度の角度とは、１８０度の角度を言う。
【００２５】
嵌合穴５７は、略十字形穴の軸線Ｇを挟む一対の扇状部を遊び部６７，６７として切除した形状、所謂ダルマ形状で形成されている。この遊び部６７は、シリンダー錠の図示しないテールピースを９０度の回転角度範囲で相対回転可能とする。ダルマ軸３１の嵌合穴５７に、一対の遊び部６７，６７を軸線Ｇ対称に形成することで、ダルマ軸３１は、サムターン軸６１を嵌合させるとともに、シリンダー錠のテールピースを嵌合させる両者の共用嵌合部材として用いられるようになっている。
【００２６】
サムターン軸６１は、直交する二対の突出片６９，６９，７１，７１を有する断面略十字形状で形成される。そして、図４に示すように、一方の一対の突出片６９，６９の半径方向の長さＤは、他方の一対の突出片７１，７１の半径方向の長さｄより長く形成されている。また、嵌合穴５７における一対の遊び部６７のそれぞれの一端側には、この一方の一対の突出片６９，６９が嵌入する図２に示す一対の切欠部７３，７３が軸線Ｇ対称に形成されている。
【００２７】
突出片６９，６９と、切欠部７３，７３とは、嵌合角度規制手段６３を構成している。
【００２８】
サムターン軸６１の一端には、軸線Ｇの直交方向に長い摘み部６５が設けられている。また、本実施の形態では、嵌合角度規制手段６３が、デッドボルト４３を突出させた状態のダルマ軸３１の嵌合穴５７に、摘み部６５が水平方向を長手方向とする向きで、サムターン軸６１を嵌入可能にする。つまり、図３に示すように、摘み部６５の長手方向（図中上下方向）の向きと、突出片６９，６９の延在方向（図中上下方向）の向きとが一致している。
【００２９】
この錠装置１００では、嵌合角度規制手段６３によって、ダルマ軸３１の回転角度、すなわち、デッドボルト４３の進出状態、又は後退状態に応じて、ダルマ軸３１に対するサムターン軸６１の嵌合角度が特定される。したがって、従来の錠装置のように、デッドボルト４３の進退状態にかかわらず、サムターン軸６１がダルマ軸３１に嵌合してしまうことが防止され、サムターン軸６１がデッドボルト４３の進退状態と一致した姿勢で取り付けられるようになる。
【００３０】
つまり、図１に示したデッドボルト４３を突出させた状態のダルマ軸３１の嵌合穴５７には、摘み部６５が水平方向を長手方向とする向きでのみ、サムターン軸６１を嵌入可能にする。すなわち、嵌合角度規制手段６３が、ダルマ軸３１に対し、０度及び１８０度の角度で、サムターン軸６１の嵌合を可能としているので、摘み部６５が水平方向を長手方向とする向きでのみ、サムターン軸６１を嵌入可能にしている。これにより、通常のデッドボルト進退状態とサムターン摘み部６５の姿勢との関係、解錠時には摘み部６５を縦長、施錠時には横長となる姿勢で、サムターン軸６１をダルマ軸３１に嵌入させることができるようになっている。
【００３１】
したがって、上記の錠装置１００によれば、ダルマ軸３１に対し任意の一つの角度及びこの一つの角度＋１８０度の角度でサムターン軸６１の嵌合を可能とする嵌合角度規制手段６３（突出片６９，６９、切欠部７３，７３）を、ダルマ軸３１の嵌合穴５７とサムターン軸６１とに亘って設けたので、ダルマ軸３１の回転角度、すなわち、デッドボルト４３の進出状態、又は後退状態に応じてダルマ軸３１に対するサムターン軸６１の嵌合角度を特定することができる。
【００３２】
したがって、デッドボルト４３の進退状態にかかわらず、サムターン軸６１がダルマ軸３１に嵌合してしまうことが防止でき、サムターン軸６１をデッドボルト４３の進退状態と一致させた姿勢で取り付けできる。この結果、サムターン軸６１のダルマ軸３１に対する誤取り付けをなくすことができる。
【００３３】
また、嵌合穴５７における一対の遊び部６７のそれぞれの一端側に、一方の一対の突出片６９，６９が嵌入する一対の切欠部７３，７３を形成したので、サムターン軸６１とシリンダー錠テールピースとの共用嵌合部材となったダルマ軸３１に対し、デッドボルト４３の進退に対応させた摘み部姿勢で、サムターン軸６１を嵌合させることができる。つまり、ダルマ軸３１を共用嵌合部材として部品点数を少なくすることができる。
【図面の簡単な説明】
【００３４】
【図１】本発明に係る錠装置の側面図である。
【図２】図１に示したダルマ軸の斜視図である。
【図３】図１に示した錠装置に取り付けられるサムターンの斜視図である。
【図４】図３に示したサムターン軸のみの斜視図である。
【図５】従来のダルマ軸の斜視図である。
【図６】従来のサムターンの斜視図である。
【図７】従来のサムターン軸の斜視図である。
【符号の説明】
【００３５】
２１…錠箱
２３…錠機構
３１…ダルマ軸
４３…デッドボルト
５７…嵌合穴
６１…サムターン軸
６３…嵌合角度規制手段
６５…摘み部
６７…遊び部
６９，６９，７１，７１…突出片
７３，７３…切欠部
１００…錠装置
Ｇ…軸線
【図１】
2007198054.tif 000003
【図２】
2007198054.tif 000004
【図３】
2007198054.tif 000005
【図４】
2007198054.tif 000006
【図５】
2007198054.tif 000007
【図６】
2007198054.tif 000008
【図７】
2007198054.tif 000009